(57)【要約】【課題】空気調和機とこの空気調和機と別体のサーキュレータとを用いて室内を快適に空調することができる空気調和システムを提供する。【解決手段】第１室温センサ１４を有し室内Ｒを空調する空気調和機１と、この空気調和機１と別体で室内Ｒの空気を循環させるサーキュレータ２と、第２室温センサ３１を有し空気調和機１を操作するリモコン３とを備えた空気調和システムにおいて、前記サーキュレータ２は下部に吸込口４３、上部に吹出口４２を有して室内Ｒの中段部に設けられ、第１室温センサ１４で検出された温度と第２室温センサ３１で検出された温度との差が所定値以上になったときに空気調和機１に連動させてサーキュレータ２を運転する。【選択図】      図１
2004150679.tif 000002
【特許請求の範囲】
【請求項１】
第１室温センサを有し室内を空調する空気調和機と、この空気調和機と別体で室内の空気を循環させるサーキュレータと、第２室温センサを有し空気調和機を操作するリモコンとを備えた空気調和システムにおいて、
前記サーキュレータは下部に吸込口、上部に吹出口を有して室内の中段部に設けられ、第１室温センサで検出された温度と第２室温センサで検出された温度との差が所定値以上になったときに空気調和機に連動させてサーキュレータを運転することを特徴とする空気調和システム。
【請求項２】
第１室温センサを有し室内を空調する空気調和機と、この空気調和機と別体で室内の空気を循環させるサーキュレータとを備えた空気調和システムにおいて、
前記サーキュレータに第３室温センサを設け、第１室温センサで検出された温度と第３室温センサで検出された温度との差が所定値以上のときに空気調和機に連動させてサーキュレータを運転することを特徴とする空気調和システム。
【請求項３】
前記サーキュレータに着脱自在に空気清浄手段を設けたことを特徴とする請求項１または２に記載の空気調和システム。
【請求項４】
前記空気調和機は室内の上部に設置されるタイプであることを特徴とする請求項１〜３のいずれかに記載の空気調和システム。
【発明の詳細な説明】
【０００１】
【発明の属する技術分野】
本発明は、空気調和機と、室内の空気を循環させるサーキュレータとを同一の室内に設けた空気調和システムに関する。
【０００２】
【従来の技術】
一般に、室内上部の壁等に設置して室内の空調をする壁掛け式の空気調和機や、室内の天井裏に設置して室内の空調をする天井埋込み式の空気調和機は知られている。この種の空気調和機は、熱交換器とファンとを内蔵し、吸込口から吸い込んだ室内の空気を熱交換器で熱交換した後、吹出口から室内に吹き出して室内の空調を行うものである。
【０００３】
ところで、前記空気調和機は、室内の上部に設置されるため、暖房運転時にファンの風力が小さいと、空気調和機から吹き出される暖気が足元まで届かず足元が暖まらないことがある。また、冷房運転時には空気調和機から吹き出される冷気が床面付近に溜まって足元が冷えすぎるという問題があった。
【０００４】
このため、従来の空気調和システムは、例えば、図５に示すように、室内Ｒ１の上部に熱交換器７１、ファン７２及び温度検出部７３を有する空気調和機７４と、ファン７５及び温度検出部７６を有する送風機７７とを設け、室内Ｒ１の下部に温度検出部７８を有する温度検出装置７９を設けている。そして、空気調和機７４を暖房または冷房運転した場合、それぞれの温度検出部７３、７６、７８の検出温度差に基づいて前記送風機７７を運転することにより、室内の空気を循環させ室内の温度差を少なくし、快適な空調をするようにしている。（例えば、特許文献１参照。）。
【０００５】
また、他の従来の空気調和システムは、例えば、図６に示すように、室内Ｒ２の上部にファン９１を内蔵する冷房機９２、室内Ｒ２の上部及び中段部に温度検出装置９３、９４を設け、室内Ｒ２の下部に床置型暖房機９５を配置して運転した場合、前記温度検出装置９３、９４が所定値以上を検出したときに冷房機９２内のファン９１を送風運転するものである。これにより、室内Ｒ２上部の暖気を室内Ｒ２下部へ導いて室内Ｒ２の空気を循環させ室内の温度差を少なくし、暖房効果を向上させようとするものである。（例えば、特許文献２参照。）。
【０００６】
【特許文献１】
特開平７ー２４８１４２号公報
【特許文献２】
実公昭６３ー１１５４１号公報
【０００７】
【発明が解決しようとする課題】
しかしながら、前述した２例の空気調和システムは、室内Ｒ１、Ｒ２の上部に設けたファン７５、９１を運転することにより、空調運転時に室内上部に溜まる暖気を室内下部へ導くものである。このため、室内の床面付近に溜まる冷気を上昇させにくく、足元に冷気が残ってしまう恐れがあった。あるいは足元の冷気が取り除かれるまで時間がかかる恐れがあった。
【０００８】
本発明は上記の事情に鑑みてなされたものであり、空気調和機とこの空気調和機と別体のサーキュレータとを用いて室内を快適に空調することができる空気調和システムを提供することを目的とする。
【０００９】
【課題を解決するための手段】
上記目的を達成するために、請求項１記載の発明は、第１室温センサを有し室内を空調する空気調和機と、この空気調和機と別体で室内の空気を循環させるサーキュレータと、第２室温センサを有し空気調和機を操作するリモコンとを備えた空気調和システムにおいて、前記サーキュレータは下部に吸込口、上部に吹出口を有して室内の中段部に設けられ、第１室温センサで検出された温度と第２室温センサで検出された温度との差が所定値以上になったときに空気調和機に連動させてサーキュレータを運転することを特徴とする。
【００１０】
請求項２に記載の発明は、第１室温センサを有し室内を空調する空気調和機と、この空気調和機と別体で室内の空気を循環させるサーキュレータとを備えた空気調和システムにおいて、前記サーキュレータに第３室温センサを設け、第１室温センサで検出された温度と第３室温センサで検出された温度との差が所定値以上のときに空気調和機に連動させてサーキュレータを運転することを特徴とする。
【００１１】
請求項３に記載の発明は、請求項１または２に記載の空気調和システムにおいて、前記サーキュレータに着脱自在に空気清浄手段を設けたことを特徴とする。
【００１２】
請求項４に記載の発明は、請求項１〜３のいずれかに記載の空気調和システムにおいて、前記空気調和機は室内の上部に設置されるタイプであることを特徴とする。
【００１３】
【発明の実施の形態】
以下、本発明の一実施形態を図面に基づいて説明する。図１は本発明の一実施形態における空気調和システムの配置構成を示す説明図、図２はリモコンの正面説明図、図３はサーキュレータの正面図、図４はサーキュレータの側断面説明図である。
【００１４】
図１において、本空気調和システムは、分離型の空気調和機１とサーキュレータ２と、ワイヤレスリモコン（以下単にリモコンという）３とを備えており、室内Ｒの中段部の壁にはサーキュレータ２が設置され、室内Ｒの上部に設置される壁掛形室内機４と屋外に設置される室外機５とが冷媒管６にてつながれている。また、室内機４は信号線７にて室外機５及びサーキュレータ２に接続されている。
【００１５】
前記室内機４のケーシングには吸込口１１と吹出口１２とを有し、室内機４内にはこれら吸込口１１と吹出口１２とを連通する通風路が形成され、通風路内には室内機４付近の室温を検出する第１室温センサ１４、室内熱交換器１５及び室内ファン１６を備えている。室内機４内の右端には制御装置１７が設けられ、この制御装置１７には第１室温センサ１４が接続されるとともに、室外機５との信号のやり取りをするシリアル室外送受信回路、室内ファン１６等を制御する室内制御回路、サーキュレータ２に信号を送信してサーキュレータ２の運転制御をするサーキュレータ制御回路、リモコン３からの信号を受信する受信回路等が設けられている。
【００１６】
一方、前記室外機５には圧縮機２１、室外熱交換器２２、室外ファン２３及び室外制御装置２４等を備え、室外制御装置２４には室外熱交センサ、シリアル受信回路、圧縮機２１を駆動するドライブ回路、室外ファン２３を制御する室外制御回路等（図示せず）が設けられている。
【００１７】
図２において、前記リモコン３には、リモコン３付近の室温（通常室内下部の温度）を検出する第２室温センサ３１、空気調和機１の運転と停止を行う運転スイッチ３２、冷房と暖房とを切り換える冷暖切換スイッチ３３、温度設定を設定する温度設定スイッチ３４、及びサーキュレータスイッチ３５等の操作部３６と、設定温度や冷房暖房等の表示を示す表示部３７と、スイッチ類の操作及び第２室温センサ３１の温度信号を送信する送信部３８等が設けられている。サーキュレータスイッチ３５は空気調和機１に連動して運転する併用運転と、サーキュレータ２を単独で運転する単独運転とを切り換えられるようになっている。なお、空気調和機１は第２室温センサ３１の検出値と設定温度との差に基いて冷暖房運転が制御される。
【００１８】
図３、図４において、サーキュレータ２は縦長の箱体状のケーシング４１を有し、ケーシング４１の下面に吸込口４２、上面に吹出口４３、前面に扉４４及び運転ランプ４５が設けられ、吸込口４２には室内Ｒの塵や埃を受け止めるエアフィルタ４６、吹出口４３には風向調節器４７が設けられている。ケーシング４１内には、吸込口４２と吹出口４３を連通する通風路４８が形成され、この通風路４８内の吸込口４２及び吹出口４３付近にはそれぞれプロペラファン等を用いた２つの送風ファン５１ａ、５１ｂが設けられ、これら送風ファン５１ａ、５１ｂが回転駆動することにより、室内Ｒの下方の空気を吸い込み、上方に吹き出して室内Ｒの空気を循環させる。これら送風ファン５１ａ、５１ｂは室内機４の制御装置１７（図１参照）により運転、停止及び回転数が制御される。
【００１９】
また、両送風ファン５１ａ、５１ｂの間には空気清浄ボックス（以下空清ボックスという）５２が設けられ、この空清ボックス５２には扉４４を介して空気清浄手段５３が出し入れ自在に収納されている。
【００２０】
次に、空気調和機１とサーキュレータ２とを併用した暖房運転時の動作を説明する。
【００２１】
リモコン３のサーキュレータスイッチ３５を併用運転にし、冷暖切替スイッチ３３、温度設定スイッチ３４等を設定して運転スイッチ３２をオンすると、空気調和機１が運転を開始する。室内ファン１６が作動し吸込口１１から室内空気が吸引される。吸引された空気は、室内熱交換器１５を通過して熱交換され、室内機４の吹出口１２から吹き出される。制御装置１７は設定温度と第２室温センサ３１の検出値との差に基づいて空気調和機１を運転制御する。
【００２２】
ここで、例えば、室内ファン１６の風力が弱く設定されていると、室内Ｒでは、室内機４の周囲が暖められ床面付近よりも天井付近の温度が高くなる。そして、床面側から天井側へかけて徐々に温度が高くなるように分布し、室内Ｒの上下の温度差が大きくなる。
【００２３】
制御装置１７は空気調和機１の運転開始時から、第１及び第２室温センサ１４、３１で室温を検出しており、これらの検出値が、例えば５℃以上の温度差を生じた場合には、サーキュレータ２の送風ファン５１ａ、５１ｂを弱風にて作動させ、さらに１０℃以上の温度差を生じた場合には強風にて作動させる。
【００２４】
サーキュレータ２が運転を開始することにより、床面付近の空気が吸い上げられ天井方向へ吹き出されて室内Ｒに空気の流れを生じさせる。床面付近の冷気が天井付近の暖気と攪拌され、室内Ｒの空気の温度差が小さくなり略均一に近づく。そして、温度差が２℃未満になると制御装置１７は送風ファン５１を停止させて待機する。
【００２５】
このように、空気調和機１とサーキュレータ２とを併用して暖房運転した場合、床面付近の冷気を吸引して室内Ｒの空気を循環させるので、室内Ｒの上部と下部の温度ムラを効率良く解消することができる。
【００２６】
次に、空気調和機１とサーキュレータ２とを併用した冷房運転時の動作を説明する。
【００２７】
冷房運転時において、リモコン３の運転スイッチ３２がオンされると、室内機４の吹出口１２から冷風が吹き出される。冷気は下降しやすいので、例えば吹出風向が下向きに設定されていると、床面付近に冷気が溜まり天井側から床面側へ向けて徐々に温度が低くなるように温度が分布する。そして、冷房運転がさらに続くと、室内Ｒ上下の温度差が大きくなる。
【００２８】
制御装置１７は、空気調和機１の運転開始時から、第１室温センサ１４及び第２室温センサ３１の温度を検出しており、これら温度センサ１４、３１の検出値が、所定温度以上なるとサーキュレータ２が運転を開始する。サーキュレータ２が作動することにより、床面付近の冷気が吸引されて天井方向へ吹き出され、室内Ｒの空気が循環する。床面付近の冷気と天井付近の暖気が攪拌されて室内Ｒの温度差が小さくなり、室内Ｒの温度が略均一なる。
【００２９】
このように、空気調和機１とサーキュレータ２とを併用して冷房運転した場合、床面付近の冷気を吸引して室内Ｒの空気を循環させるので、室内Ｒの上部と下部の温度ムラを効率良く解消することができる。
【００３０】
以上説明したように、本空気調和システムのサーキュレータ２は、下面に吸込口４２、上面に吹出口４３を設けているので、床面付近に溜まりやすい冷気を取り入れて上方に吹き出すことにより、効果的な空気の循環を行うことができる。そして、吹出風が直接体に当たりにくいので、在室者に不快感を感じさせないようにしている。
【００３１】
また、サーキュレータ２にはエアフィルタ４６及び空気清浄手段５３を設けているので、床面付近に舞上がった塵や埃をエアフィルタ４６で取り除き、さらにエアフィルタ４６を通り抜けた微細な塵や臭いを空気清浄手段５３で取り除き、室内Ｒの空気を効果的に清浄化することができる。
【００３２】
なお、サーキュレータ２を空気調和機１と別に単独で運転するときには、室温センサに関係なくサーキュレータ２運転を行うことができるようにしている。
【００３３】
以上、一実施形態に基づいて本発明を説明したが、本発明はこれに限定されるものではなく、本発明の要旨を逸脱しない範囲で種々変形可能である。
【００３４】
本実施形態では、壁掛形の空気調和機１を用いて説明したが、室内Ｒの上部に設置した天井埋込形や天井吊り形等の空気調和機１であっても良い。
【００３５】
また、本実施形態ではサーキュレータ２に室温センサを設けていないが、例えばサーキュレータ２の吸込口４２付近に第３室温センサを設け、この第３室温センサと第１室温センサ１４との温度差に基づいてサーキュレータ２を併用運転するするようにしても良い。
【００３６】
また、本実施形態では、空気調和機１とサーキュレータ２とを信号線７を用いて有線接続しているが、双方向通信が可能となるように無線接続したものであっても良い。
【００３７】
また、サーキュレータ２の送風ファン５１ａ、５１ｂとしてプロペラファンを用いているが、シロッコファン等他の形態のファンであっても良い。
【００３８】
【発明の効果】
以上説明したように本発明によれば、空気調和機の室内機に設けられた第１室温センサと、リモコンに設けられた第２室温センサとによって検出される温度差に基づいてサーキュレータの運転を制御するので、サーキュレータを適切なタイミングで運転することができる。
【００３９】
また、サーキュレータの下面に吸込口、上面に吹出口を設けているので、床面付近に溜まりやすい冷気を吸引して部屋の上方へ吹き出し、室内の空気を効果的に循環させることができる。
【００４０】
また、室内の空気を上下方向に循環させるので、下部の冷たい空気と上部の暖かい空気とが交じり合って温度ムラが少なくなり、快適な空調を実施することができる。
【図面の簡単な説明】
【図１】本発明の一実施形態における空気調和システムの配置構成を示す説明図である。
【図２】リモコンの正面説明図である。
【図３】図１に示すサーキュレータの正面図である。
【図４】図１に示すサーキュレータの側断面説明図である。
【図５】従来の空気調和システムの配置構成を示す説明図である。
【図６】図５と別の従来空気調和システムの配置構成を示す説明図である。
【符号の説明】
１  空気調和機
２  サーキュレータ
３    リモコン
４  室内機
１４  第１室温センサ
１６  室内ファン
１７  制御装置
３１    第２室温センサ
３２  運転スイッチ
３５  サーキュレータスイッチ
４２  吸込口（サーキュレータ）
４３  吹出口（サーキュレータ）
４４  扉
５１ａ、５１ｂ  送風ファン
５２  空気清浄ボックス
５３  空気清浄手段
Ｒ  室内
【図１】
2004150679.tif 000003
【図２】
2004150679.tif 000004
【図３】
2004150679.tif 000005
【図４】
2004150679.tif 000006
【図５】
2004150679.tif 000007
【図６】
2004150679.tif 000008